(57)【要約】【課題】照明器具の組立工程の分業化を可能とし、組立作業性を向上した照明器具を提供する。【解決手段】光源部４１と、前記光源部４１を保持する器具本体２１と、前記光源部４１に給電する電源部３１と、前記電源部３１を覆う電源カバー６１と、備える照明器具１１であって、前記電源部３１は、前記電源カバー６１内に収容され、前記電源カバー６１は、前記器具本体２１の取付面側に取り付けられる。また、前記電源カバー６１には、配線器具と接続する接続部７１を備える。【選択図】図４
2015220093.tif 000002
【特許請求の範囲】
【請求項１】
器具取付面に配置された配線器具に接続される接続部と、
光源部に給電する電源部と、
前記光源部を保持する器具本体と、
前記電源部を覆う電源カバーと、を備える照明器具であって、
前記光源部は、前記電源部の外周側に配置され、
前記電源カバーに、前記電源部と前記接続部が取り付けられ、
前記電源カバーは、前記器具本体に取り付けられる、照明器具。
【請求項２】
請求項１に記載の照明器具であって、
前記電源カバーは、前記器具本体の器具取付面側に取り付けられる、照明器具。
【請求項３】
請求項１または請求項２に記載の照明器具であって、
前記光源部及び前記電源部は、平面視において互いに重ならない位置に配置される、照明器具。
【請求項４】
請求項１から請求項３のいずれか一項に記載の照明器具であって、
前記器具本体は、セードを保持するための保持部を備え、
前記器具本体は、前記光源部の外周側に沿うように間欠的に配置された複数の突条部を有し、
前記保持部は、前記突条部の外周側に配置され、
前記光源部と前記保持部との間には、少なくとも前記突条部を有しない部分を有する、照明器具。
【請求項５】
請求項１から請求項４のいずれか一項に記載の照明器具であって、
前記光源部は、光源と略円弧形状のモジュール基板とを含み、
前記モジュール基板は、円周方向の両端部において、互いに略平行な端部を有する、照明器具。
【請求項６】
請求項１から請求項５のいずれか一項に記載の照明器具であって、
前記器具本体は、受光部を配置する収容部を有し、
前記収容部は、前記受光部と前記モジュール基板を電気的に接続する配線を挿通する貫通孔を有し、
前記貫通孔は、前記受光部と前記モジュール基板との間に設けられる、照明器具。
【請求項７】
請求項１から請求項６のいずれか一項に記載の照明器具であって、
前記器具本体は、凹部を有し、
複数の前記モジュール基板同士を配線部品により接続し、該配線部品が前記凹部に対応する位置に配置される、照明器具。
【発明の詳細な説明】
【技術分野】
【０００１】
本発明は、照明器具に関する。
【背景技術】
【０００２】
従来、光源としてＬＥＤを備えた照明器具が知られている（例えば、特許文献１参照）。
【０００３】
特許文献１には、光源と、該光源に電力を供給する電源部と、前記光源及び電源部を保持するシャーシ（保持体）と、該シャーシを被取付部材に取付けるアダプタとを備える照明器具が開示されている。特許文献１の照明器具においては、シャーシの前面側に、光源、電源部及び該電源部を収容する電源カバーが配置されている。
【先行技術文献】
【特許文献】
【０００４】
【特許文献１】特開２０１１−１３４６８４号公報
【発明の概要】
【発明が解決しようとする課題】
【０００５】
しかしながら、特許文献１に開示された照明器具においては、特許文献１の図２からもわかるように、シャーシの前面側に電源部を取り付けてから電源部を収容する電源カバーを取り付ける構成となっている。このように構成される照明器具では、一連の工程によって組み立てることになるため、照明器具の組立工程を分業化することができない。そのため、照明器具の構成としては、照明器具の組立工程の分業化を可能とし、組立作業性を向上したものが望まれる。
【０００６】
そこで、本発明は、上記課題に鑑みてなされたものであり、照明器具の組立工程の分業化を可能とし、組立作業性を向上した照明器具を提供することを目的とする。
【課題を解決するための手段】
【０００７】
本発明の解決しようとする課題は以上の如くであり、次にこの課題を解決するための手段を説明する。
【０００８】
すなわち、本願に開示する照明器具は、
器具取付面に配置された配線器具に接続される接続部と、
前記光源部に給電する電源部と、
前記光源部を保持する器具本体と、
前記電源部を覆う電源カバーと、を備える照明器具であって、
前記光源部は、前記電源部の外周側に配置され、
前記電源カバーに、前記電源部と前記接続部が取り付けられ、
前記電源カバーは、前記器具本体に取り付けられるものである。
【０００９】
本願に開示する照明器具において、
前記器具本体の器具取付面に取り付けられることが好ましい。
【００１０】
本願に開示する照明器具において、
前記光源部及び前記電源部は、平面視において互いに重ならない位置に配置されることが好ましい。
【００１１】
本願に開示する照明器具において、
前記器具本体は、セードを保持するための保持部を備え、
前記器具本体は、前記光源部の外周側に沿うように間欠的に配置された複数の突条部を有し、
前記保持部は、前記突条部の外周側に配置され、
前記光源部と前記保持部との間には、少なくとも前記突条部を有しない部分を有することが好ましい。
【００１２】
本願に開示する照明器具において、
前記光源部は、光源と略円弧形状のモジュール基板とを有し、
前記モジュール基板は、円周方向の両端部において、互いに略平行な端部を有することが好ましい。
【００１３】
本願に開示する照明器具において、
前記器具本体は、受光部を配置する収容部を有し、
前記収容部は、前記受光部と前記モジュール基板を電気的に接続する配線を挿通する貫通孔を有し、
前記貫通孔は、前記受光部と前記モジュール基板との間に設けられることが好ましい。
【００１４】
本願に開示する照明器具において、
前記器具本体は、凹部を有し、
複数の前記モジュール基板同士を配線部品により接続し、該配線部品が前記凹部に対応する位置に配置されることが好ましい。
【発明の効果】
【００１５】
本発明によれば、照明器具の組立工程の分業化を可能とし、組立作業性を向上することができる。
【図面の簡単な説明】
【００１６】
【図１】本発明の一実施形態に係る照明器具を示す側面図。
【図２】照明器具（セードを取り外した状態）を示す平面図。
【図３】照明器具（セードを取り外した状態）を示す側面図であり、一部が図２におけるＡ−Ａ線断面図。
【図４】照明器具の構成を示す分解斜視図。
【図５】ＬＥＤ光源モジュールを示す平面図。
【発明を実施するための形態】
【００１７】
本発明の実施形態に係る照明器具１１について、図１から図５を用いて説明する。本実施形態に係る照明器具１１は、複数のＬＥＤ素子４２を光源とする照明器具である。図１に示すように、照明器具１１は、天井等の器具取付面（図示せず）に直付けされるシーリングライトである。以下の説明では、照明器具１１の光を照射する側を照明器具１１の照射面側とし、照明器具１１における天井等の器具取付面に対向する側を照明器具１１の取付面側（取付状態では天井側）として説明する。また、照明器具１１の上下方向は、照明器具１１が天井等の器具取付面に設置された状態における上下方向（図１、図３における上下方向）として説明する。上下方向に直交する方向を径方向として説明する。また、本実施形態の説明において、下方から照明器具１１等を視た状態を平面視とする。上下方向に対して直交方向から照明器具１１等を視た状態を側面視とする。照明器具１１等の断面形状を視た状態を断面視とする。
【００１８】
照明器具１１は、主に器具本体２１、電源部３１、光源部４１、セード５１、電源カバー６１、接続部７１、受光部８１、及び保護部材９１を有している。照明器具１１は、平面視における形状が円形である。
【００１９】
器具本体２１は、照明器具１１の本体を構成するものである。器具本体２１は、いわゆるベースやシャーシと呼ばれる部材である。器具本体２１は、平面視における外形輪郭形状が円形である。器具本体２１は、光源部４１、セード５１、電源カバー６１、及び保護部材９１等を保持するものである。器具本体２１は、光源取付部２２、凹部２５、突条部２６、及び収容部２３を有し、単一の部材として一体的に形成されている。
なお、本実施形態においては、光源取付部２２、凹部２５、突条部２６、及び収容部２３を器具本体２１として一体的に形成しているが、特に限定するものではない。
【００２０】
光源取付部２２は、平面視において略円環状であり、複数（本実施形態では４個）の平坦面である光源取付面部２２ａで構成される。凹部２５は、複数の光源取付面部２２ａの間に配置されている。収容部２３は、器具本体２１の径方向中央部に設けられる。光源取付部２２は、収容部２３の径方向外側に設けられている。突条部２６は、光源取付部２２の径方向外側に設けられている。器具本体２１の周縁部には、セード５１を保持するための複数の保持部２９が設けられている。複数の保持部２９は、器具本体２１の周縁部に略均等間隔に配置される。器具本体２１は、電源部３１が収容される電源カバー６１と光源部４１とセード５１等を保持可能な耐久性と、光源部４１が発する熱を放熱させるための熱伝導性とを考慮し、鉄やアルミニウム、またはそれらの合金等の金属板を用いて形成されている。なお、器具本体２１は、耐久性及び放熱性が高い材料であれば、先述した金属材料に限らず、その他の合金材料や樹脂等の他の材料で形成することができる。
【００２１】
光源取付部２２は、光源部４１が取り付けられる部分である。光源取付部２２は、器具本体２１の周方向に沿って、一定幅設けられ、器具本体２１の径方向中央部の収容部２３の外周側の周囲に略円弧状に複数配置されている。光源取付部２２は、光源取付面部２２ａ、及び光源固定部２２ｂを有している。光源取付面部２２ａは、周方向及び半径方向に所定幅を有する円弧状の平坦面であり、ＬＥＤ光源モジュール４４を当接して取り付けるための面である。光源取付面部２２ａは、図３に示すように、照射面側に突出する突出面である。光源固定部２２ｂは、光源部４１をネジ部材により固定するために光源取付面部２２ａの外周近傍の四隅近傍に設けられたネジ部材を螺合するためのネジ孔である。光源固定部２２ｂは、例えばバーリング加工によって形成されることにより、ネジ部材との螺合部分の長さを長く確保することができるので好ましい。器具本体２１の径方向中央部には収容部２３が照射面側に突出して形成されており、光源取付部２２は、収容部２３を取り囲むように径方向外側の領域に設けられている。また、光源取付部２２は器具本体２１の外周縁部より径方向内側の領域に形成されている。光源取付部２２は、光源部４１で発生した熱を伝えて外部に放出する放熱部としても機能させるため、光源部４１が取り付けられる光源取付面部２２ａは、光源部４１との接触面積が広くなるよう平坦に形成されている。
【００２２】
凹部２５は、器具本体２１における収容部２３の外周側から放射状に複数延設される部分である。凹部２５は、複数の光源取付部２２の間に配置される。すなわち、凹部２５及び光源取付部２２は、器具本体２１における収容部２３の外周側の周囲に交互に配置される。凹部２５は、取付面側に突出して形成されている。凹部２５の径方向の長さは、凹部２５に隣接する光源取付部２２の径方向の幅と略同一である。凹部２５は、径方向に沿ったテーパを有し、断面形状を略台形凸状に形成する。そのため、凹部２５は、器具本体２１を補強するための補強用リブとして機能する。また、凹部２５を器具本体２１における収容部２３の外周側から放射状に複数（本実施形態では４本）延設することで、器具本体２１の剛性を向上することができる。すなわち、器具本体２１は、凹部２５によって屈曲される部分が形成される。屈曲形状は、平坦形状よりも曲げ剛性が高い。したがって、屈曲部分を器具本体２１の半径方向に長くかつ周方向に複数形成することで、器具本体２１の剛性を上げることができる。
なお、本実施形態では、凹部２５を取付面側に突出する構成としているが、特に限定するものではない。凹部２５は器具本体２１の剛性を向上させる補強用リブとしての機能を有する屈曲形状であればよく、例えば、凹部２５を照射面側に突出するように形成してもよい。また、凹部２５の断面形状を、略矩形凸状、断面円弧状、断面凹凸状などに形成してもよい。また、凹部２５の径方向の長さは、光源取付部２２の径方向の幅と同一寸法に限らず、光源取付部２２の径方向の幅よりも長くすることで器具本体２１の剛性をさらに上げることができるため好ましい。また、凹部２５は、径方向の長さを光源取付部２２の径方向の幅よりも小さくしたとしても、径方向に複数設けることで本実施形態と同等の効果を得ることができる。また、器具本体２１は、凹部２５を設けることで表面積が大きくなり、凹部２５が設けられていない器具本体に比べて放熱性を高くすることができる。
【００２３】
突条部２６は、光源取付部２２の径方向外側に隣接し、照射面側に突出する部分である。突条部２６は、光源部４１の外周側に沿うように間欠的に配置されている。突条部２６は、円周方向に沿って間欠した状態で形成される、複数の円弧状に形成されている。すなわち、器具本体２１において、光源部４１と保持部２９との間には、突条部２６が形成されていない領域を有する。突条部２６の下端には、保護部材９１の一端がネジ部材により取付けられる。突条部２６は、器具本体２１を補強するための補強用リブとしての機能を有し、断面形状が略台形凸状に形成されている。これにより、器具本体２１における周方向の剛性を向上することができる。
【００２４】
収容部２３は、接続部７１の一端側が収容される部分である。接続部７１は、照明器具１１を天井等の器具取付面に配置された配線器具と接続する。収容部２３は、器具本体２１の径方向中央部に設けられている。収容部２３は、平面視において外形形状が円形で断面視において下方に向けて凹状であり、照射面側に突出して形成されている。収容部２３は、略円筒状の周壁部２３ａ、該周壁部２３ａに連設される円環状の底部２３ｂを有している。収容部２３の底部２３ｂの径方向中央には円形の開口部２３ｃが形成されている。開口部２３ｃは、接続部７１を露出させるための部分である。収容部２３の底部２３ｂには、受光部８１に対応する位置に、受光部８１の一端を露出するための受光孔２３ｄが形成されている。収容部２３の周壁部２３ａには、受光孔２３ｄの近傍にＬＥＤ光源モジュール４４と電源部３１とを電気的に接続する配線（図示せず）を挿通するための貫通孔２３ｅ・２３ｅが形成されている。貫通孔２３ｅ・２３ｅは、受光部８１とＬＥＤ光源モジュール４４との間に設けられている。収容部２３が照射面側に突出した略有底円筒形状で、かつ貫通孔２３ｅ・２３ｅを周壁部２３ａに設ける構成は、ＬＥＤ光源モジュール４４と電源部３１とを電気的に接続する配線に曲げによるストレスを与えにくい。つまり、ＬＥＤ光源モジュール４４と接続された配線を貫通孔２３ｅ・２３ｅに挿通させて器具本体２１の取付面側の収容部２３内に引き入れる。このとき、貫通孔２３ｅ・２３ｅを器具本体２１の上下方向に向かって開口するように設けた場合には、貫通孔２３ｅ・２３ｅが開口する方向と配線の延びる方向とは一致しない。そのため、配線を器具本体２１の照射面側から取付面側に引き入れようとすると、配線を貫通孔２３ｅ・２３ｅ付近で上下方向に強制的に曲げて引き入れる必要がある。一方、本実施形態では貫通孔２３ｅ・２３ｅは収容部２３の周壁部２３ａに器具本体２１の側面方向に向かって開口するように設けられているため、貫通孔２３ｅ・２３ｅの開口する方向と配線の延びる方向とが一致する。そのため、配線を貫通孔２３ｅ・２３ｅ付近で上下方向に強制的に曲げることなく器具本体２１の照射面側から取付面側に引き入れることができ、曲げによるストレスを与えにくい。収容部２３は、光源部４１が取り付けられる光源取付部２２に隣接しており、収容部２３の上下方向の寸法（高さ寸法）が大きくなると、光源部４１からの光を遮ってセード５１に収容部２３の影が映ることとなる。このため、本実施形態では、収容部２３に電源部３１または接続部７１の一部のみを収容することで、収容部２３の容積を抑え、収容部２３を扁平状に形成し、光源部４１からの光を遮りにくくしている。
【００２５】
電源部３１は、光源部４１が有するＬＥＤ素子４２に給電を行って、ＬＥＤ素子４２を点灯させるための電源回路である。電源部３１は、所定幅を有する略円弧形状に加工されたプリント配線板である電源基板３３上に複数の電子部品が実装された電源回路である。電源部３１は、外部商用電源から供給される交流電流を所定の直流電流に変換し、変換後の電流を基板４３に実装された複数のＬＥＤ素子４２に供給するためのものである。電源部３１は、電源カバー６１内に収容され、該電源カバー６１の天板部６４に複数（本実施形態では、６個）のスペーサ４０を介して取り付けられている。これにより、電源カバー６１と電源部３１との間に空間を形成し、電気的絶縁距離を確保している。電源部３１にはコネクタ３２が設けられている。照明器具１１を天井等の器具取付面に取り付ける際、コネクタ３２を配線器具側のコネクタ（図示せず）に接続することで、電源部３１は照明器具用の天井配線器具を介して外部商用電源と電気的に接続される。電源部３１と光源部４１は配線（図示せず）によって電気的に接続されている。
【００２６】
光源部４１は、照明器具１１の照射面側に向けて光を出射する部分である。光源部４１は、電源部３１の外周側に配置される。光源部４１は、複数のＬＥＤ素子４２を有し、光源取付部２２の平坦面である光源取付面部２２ａに配置される平板状のものである。具体的には、光源部４１は、複数（本実施形態では、４枚）のＬＥＤ光源モジュール４４を有しており、各ＬＥＤ光源モジュール４４は、平板状モジュール基板である基板４３上に複数の点光源であるＬＥＤ素子４２が実装されて構成されている。複数のＬＥＤ素子４２は、器具本体２１の開口部２３ｃを中心として略同心円状に略等間隔で配置されている。図２に示すように、光源部４１及び電源部３１が平面視において互いに重ならない位置に配置される。
【００２７】
ＬＥＤ光源モジュール４４が有する基板４３は、図５に示すように、平面視において所定幅を有する略円弧状に形成されている。基板４３は、円周方向の対向する両端部において、互いに略平行な端部４３ａを有している（図５参照）。なお、端部４３ａは、本発明の略平行な端部の一例である。ＬＥＤ光源モジュール４４の基板４３は、全て同一形状及び同一面積とすることにより、作製が容易となるため、好ましい。また、基板４３の内周端の形状は、基板４３の外周端の形状と同様もしくは類似している。これにより、１つの板状の基板素材から切り取って複数の基板４３を作製する際に、該基板４３を基板素材上に並べて配置することが可能であり、廃棄する部分が少なく製造歩留まりが良くなるため、好ましい。基板４３は、さらに円周方向の対応する両端部において、径方向に沿って形成された非平行端部４３ｂを有する。各ＬＥＤ光源モジュール４４は、円周方向の非平行端部４３ｂ同士を対向させるとともに、各ＬＥＤ光源モジュール４４間を電気的に接続する配線部品４５により接続される。ＬＥＤ光源モジュール４４は、非平行端部４３ｂ同士を対向させて接続することにより、略円環状を成した光源部４１を形成することができる。配線部品４５は、凹部２５に対応する位置（本実施形態では、凹部２５の下方位置）に配置される。各ＬＥＤ光源モジュール４４は、収容部２３の径方向外側を取り囲むように配置されている。各ＬＥＤ光源モジュール４４は、４つのネジ部材４９で光源取付部２２に取り付けられている。ＬＥＤ光源モジュール４４は、電線(図示せず)によって電源部３１と電気的に接続されている。各ＬＥＤ光源モジュール４４は、基板４３の実装面の裏面が各光源取付部２２の光源取付面部２２ａに当接して固定されるため、各ＬＥＤ光源モジュール４４が発熱した際には、ＬＥＤ光源モジュール４４の熱が器具本体２１に伝わる。器具本体２１に伝わった熱は、器具本体２１の温度よりも周辺温度が低い場合、器具本体２１周辺の空気へ伝わる。これにより、器具本体２１に伝わった熱は、各光源取付面部２２ａを介して器具本体２１の取付面側に放熱される。
なお、各ＬＥＤ光源モジュール４４は、熱伝導性シート（図示せず）や放熱グリスを介して光源取付部２２に取り付けてもよく、これにより、より高い放熱性を得ることができる。
また、本実施形態では、光源として表面実装型のＬＥＤ素子を用いたが、光源の種類はＬＥＤ素子に限定されず、例えばＣＯＢ型発光モジュールや有機ＥＬ素子（ＯＬＥＤ）などであっても実現可能である。
【００２８】
光源部４１は、複数のＬＥＤ素子４２が光源取付部２２の光源取付面部２２ａの照射面側に少なくとも配置される。これは、基板４３上に実装されたＬＥＤ素子４２が発熱源となるため、少なくともＬＥＤ素子４２を光源取付面部２２ａの領域内に配置することで放熱の効率化を図るためである。例えば、ＬＥＤ光源モジュール４４の平面視における大きさ・形状と、光源取付面部２２ａの平面視における大きさ・形状とは、同一である必要はない。すなわち、発熱源であるＬＥＤ素子４２を基板４３を介して光源取付面部２２ａの領域内に配置すれば放熱効果が得られる。そのため、基板４３の外周縁部などの基板４３上にＬＥＤ４２が実装されていない部分は、光源取付面部２２ａの領域からはみ出して配置してもかまわない。例えば、本実施形態では、各ＬＥＤ光源モジュール４４の円周方向の両端部が、光源取付面部２２ａの領域からはみ出して凹部２５の下方に位置するように配置されている。
【００２９】
セード５１は、器具本体２１の照射面側を覆うように取り付けられ、光源部４１からの光を反射及び拡散させつつ、外部へ配光する部材である。セード５１は、透光性を有する樹脂素材で形成されている。セード５１の全体形状は、平面形状が円形であり、下面側に緩やかにドーム状に膨らんでいる。セード５１は、セード５１の内部の清掃や器具本体２１の部品交換等のために器具本体２１に対して着脱できる構造となっている。セード５１の上面側の開口縁部には、セード５１を器具本体２１が有する保持部２９に取り付けるための被保持部（図示せず）が形成されている。なお、本実施形態におけるセード５１の形状は一例であって、ドーム状の他、円筒状や角筒状などにすることもできる。
【００３０】
器具本体２１には、セード５１の被保持部を保持するための取付金具である保持部２９が設けられている。詳細は省略するが、セード５１を器具本体２１の取り付け位置に配置してセード５１の周方向の一方に回動させると、セード５１の被保持部が器具本体２１の保持部２９に保持されてセード５１が器具本体２１に取り付けられる。また、セード５１が器具本体２１に取り付けられた状態でセード５１を周方向の他方に回動させると、セード５１の被保持部が器具本体２１の保持部２９から外れて、セード５１を器具本体２１から取り外すことができる。
【００３１】
電源カバー６１は、電源部３１を覆う部材である。電源カバー６１は、一端が開放された扁平な略円筒状に形成され、内部に電源部３１及び接続部７１が取り付けられる部材である。電源カバー６１は、器具本体２１が有する収容部２３の取付面側に取り付けられる。また、電源カバー６１の内部には、アダプタを取り付けるための接続部７１が取り付けられる。電源カバー６１は、取付孔６２、周縁部６３、天板部６４、周壁部６５、及び鍔部６６を有している。
【００３２】
取付孔６２は、照明器具１１を天井に取り付ける際、引掛シーリングアダプタ等の配線部品（図示せず）を挿通する円形の開口部分である。取付孔６２は、電源カバー６１の径方向中心となる位置に設けられている。
【００３３】
周縁部６３は、取付孔６２の周縁部分であり、接続部７１が有する配線部品接続部７２の一端（上端）がネジ部材により取り付けられる部分である。周縁部６３は、下方に突出する円環状の面である。周縁部６３には、配線部品接続部７２をネジ部材により取り付けるためのネジ孔が設けられている。
【００３４】
天板部６４は、周縁部６３の周囲に円環状に形成された平坦部分である。天板部６４には、平面視において略半分の面積となる領域にスペーサ４０を介して電源部３１が配置される。周壁部６５は、天板部６４の外周縁から下方に延設される円筒状の部分である。鍔部６６は、周壁部６５の下端の外周縁から径方向外側に突出する円環状の部分である。鍔部６６は、電源カバー６１を器具本体２１に取り付けた際に、器具本体２１に当接する部分である。鍔部６６には、複数のネジ孔が設けられており、ネジ部材により器具本体２１に取り付けられる。
【００３５】
電源カバー６１は、内部に電源部３１及び接続部７１を取り付けた状態で、該接続部７１の下端側を収容部２３内に収容し、鍔部６６が器具本体２１に当接されて取り付けられる。電源カバー６１が収容部２３の取付面側に取り付けられることで、電源カバー６１と収容部２３により略円柱状の空間が形成され、該空間に電源部３１、接続部７１、及び受光部８１等を収容するための高さ及び幅が確保されている。
【００３６】
接続部７１は、アダプタ及び受光部８１を取り付ける部分である。接続部７１は、アダプタ接続部７２、受光部接続部７３を有している。接続部７１は、ネジ部材により電源カバー６１が有する周縁部６３に取り付けられる。
【００３７】
配線器具接続部７２は、扁平な略円筒状であって、収容部２３が有する開口部２３ｃより小径の第１円筒部７２ａ、開口部２３ｃより外形が大径の第２円筒部７２ｂを有している。第２円筒部７２ｂには、電源部３１から延出されるコネクタ３２を挿通するための挿通孔７２ｃが形成されている。受光部接続部７３は、配線器具接続部７２の側部に設けられ、受光部８１を取り付ける部分である。受光部接続部７３は、収容部２３の受光孔２３ｄに対応する位置に配置されている。照明器具１１を天井に取り付ける場合は、照明器具用の天井配線器具（引掛シーリングボディ）に引掛シーリングアダプタ等の配線部品を取付け、電源カバー６１が有する取付孔６２に配線部品を差し込むとともに、該配線部品を第１円筒部７２ａ内に嵌合する。
【００３８】
受光部８１は、リモコン（図示せず）からの無線信号（本実施形態では赤外線）を受光する部分である。受光部８１は、収容部２３が有する受光孔２３ｄから露出するように配置される。受光部８１は、電源部３１に接続される。受光部８１は、使用者によって操作されるリモコンから送信される無線信号を伝送媒体としたリモコン信号を受信することができる。リモコンにより受光部８１に所定の信号を送信することで使用者はＬＥＤ光源モジュール４４（ＬＥＤ素子４２）の点灯、消灯、調光等を遠隔操作できる。
【００３９】
保護部材９１は、器具本体２１とセード５１との間において、光源部４１を覆うように配置される部材である。保護部材９１は、複数の保護カバー９２で構成されている。保護カバー９２は、透光性を有しており、例えば透光性を有する樹脂シート素材で形成されている。本実施形態の保護カバー９２は透明である。本実施形態では、ＬＥＤ光源モジュール４４に対応して４枚の保護カバー９２を有しており、各保護カバー９２は、光源取付部２２に配置された各ＬＥＤ光源モジュール４４に対応して配置される。保護カバー９２の形状は、所定幅を有する円弧状であって、ＬＥＤ光源モジュール４４を覆うことができるよう、各ＬＥＤ光源モジュール４４の形状よりもやや大きい形状である。保護カバー９２は、外周縁部が収容部２３の外周近傍及び突条部２６の下端に複数のネジ部材により取り付けられる。
【００４０】
以上説明した本実施形態に係る照明器具１１では、電源部３１が電源カバー６１内に収容され、電源カバー６１が器具本体２１の取付面側に取り付けられる。これにより、照明器具の組立工程の分業化を可能とし、組立作業性を向上することができる。さらに、本実施形態に係る照明器具１１では、配線器具と接続する接続部７１が電源カバー６１内に取り付けられ、電源カバー６１が器具本体２１の取付面側に取り付けられる。これにより、さらに、照明器具の組立作業性を向上することができる。すなわち、本実施形態のように、電源部３１や接続部７１が組み付けられたユニットとなる電源カバー６１と、光源部４１等が組み付けられたユニットとなる器具本体２１とを分けて組み立てることができるため、照明器具の組立工程の分業化を可能とし、組立作業性を向上することができる。  また、接続部７１を器具本体２１に取り付ける場合、接続部７１は器具本体２１のＬＥＤ光源モジュール４４とは反対側の面に取り付けることが多く、器具本体２１の両面に対して取り付け作業を行う必要があり、作業が煩雑となる。本実施形態のように接続部７１を電源カバー６１に取り付ける構成の場合、接続部７１は電源カバー６１における電源部３１と同一面側に取り付け、器具本体２１には接続部７１を取り付けない。そのため、接続部７１とＬＥＤ光源モジュール４４と電源部３１の取り付け作業は、器具本体２１と電源カバー６１それぞれの一方の面でのみ行えばよく、組立作業性を向上することができる。
【００４１】
また、照明器具１１では、電源部３１がスペーサ４０を介して電源カバー６１に取り付けられ、該電源カバー６１と電源部３１との間に空間を有している。これにより、電源部３１（電源基板３３）と電源カバー６１との間における電気的絶縁距離（例えば沿面距離）を確保することができる。また、電源基板３３をスペーサ４０により直接電源カバー６１に取り付けるため、他の取付部材が必要でなくなり、容易に取り付けることができる。
【００４２】
また、照明器具１１では、図２に示すように、光源部４１及び電源部３１が平面視において互いに重ならない位置に配置される。これにより、光源部４１及び電源部３１がそれぞれ発生する熱が相互に伝播せず、それぞれが熱の影響を受けにくい。
【００４３】
また、照明器具１１では、器具本体２１が光源部４１の周囲を囲うように該光源部４１の外周側に複数の突条部２６を有し、さらにその外周側にセード取付金具である保持部２９を有する。光源部４１と保持部２９との間には突条部２６を有していない部分を有する。間欠して突条部２６を設けることで、保護部材９１を取り付けた状態であっても突条部２６の間欠部分から侵入した虫やホコリ等を除去しやすい。また、光源部４１の周囲において保持部２９近傍を除く他の部分が突条部２６により囲まれるため、ユーザーがＬＥＤ光源モジュール４４に触れにくい構造である。このような構造により、安全性を向上させることができる。
【００４４】
また、照明器具１１では、光源部４１が円弧形状のモジュール基板である基板４３を有し、該基板４３の円周方向の両端部が略平行な直線形状の端部４３ａを有している。これにより、１つの板状の基板素材から切り取って複数の基板４３を製造する際に、該基板４３の型を基板素材上に並べて配置することが可能であり、１枚の基板素材から効率良く基板４３を切り取ることが可能となり、廃棄する部分が少なく製造歩留まりが良くなるため、製造コストの削減が可能である。
【００４５】
また、照明器具１１では、収容部２３が受光部８１とＬＥＤ光源モジュール４４を電気的に接続する配線を挿通する貫通孔２３ｅを有し、貫通孔２３ｅは受光部８１とＬＥＤ光源モジュール４４との間に設けられる。このように、収容部２３の受光孔２３ｄ付近に配線を引き出すための貫通孔２３ｅを設けることによって、平面視において該貫通孔２３ｅの位置を認識しやすく、組立作業がし易い。
【００４６】
また、照明器具１１では、複数のＬＥＤ光源モジュール４４が円弧形状の基板４３を有し、該基板４３の円周方向の端部において、径方向に沿った非平行端部４３ｂを有する。複数のＬＥＤ光源モジュール４４の非平行端部４３ｂ同士を対向させ、配線部品４５により隣り合う基板４３を接続し、該配線部品４５が凹部２５に対応する位置に配置される。各ＬＥＤ光源モジュール４４の非平行端部４３ｂが近接した状態で配置されても、適切な絶縁距離を設けることができる。また、各ＬＥＤ光源モジュール４４の基板４３の円周方向の端部において、略平行な端部４３ａと径方向に沿った非平行端部４３ｂとを有する形状に形成する構成は、基板４３の円周方向の端部を径方向に沿った端部のみで形成した場合と比較して、隣り合うＬＥＤ光源モジュール４４において最も近接する端部の対向面積が小さい。そのため、基板４３がＬＥＤ素子４２が発する熱などによって熱膨張した場合にも、本実施形態のような基板４３の形状は、基板４３同士の接触量を小さくして基板４３にかかるストレスを抑えたり、基板４３の熱膨張による配線部品４５へのストレスを低減することが出来る。
【００４７】
以上、本発明の実施形態について説明したが、本発明は上記実施例に限定されるものではなく、様々な変更が可能である。例えば、照明器具１１は丸型としたが、角型やその他の形状としてもよい。また、シーリングライトの他、ペンダントライト等に適用してもよい。ペンダントライトの場合、接続部は、例えば配線ケーブルなどに相当する。また、天井面に配置されたダクトレールに接続可能なペンダントライトの場合、接続部は、例えば配線ダクトプラグおよびそれに接続される配線ケーブルなどに相当する。したがって、本発明における接続部は、照明器具の種類や形態によって広義に解釈することができるものとする。
【００４８】
本実施形態の器具本体２１の形状は一例であり、本実施形態の形状に限定されるものではない。例えば、照明器具１１の形状が丸型以外の角型やその他の形状である場合には、それに応じた形状とすることができる。また、器具本体２１の形状は、光源部４１の形状に応じて適宜変形させることも可能である。
【符号の説明】
【００４９】
１１  照明器具
２１  器具本体
３１  電源部
４１  光源部
４２  ＬＥＤ素子
４４  ＬＥＤ光源モジュール
６１  電源カバー
７１  接続部
【図１】
2015220093.tif 000003
【図２】
2015220093.tif 000004
【図３】
2015220093.tif 000005
【図４】
2015220093.tif 000006
【図５】
2015220093.tif 000007
【手続補正書】
【提出日】平成26年9月25日(2014.9.25)
【手続補正１】
【補正対象書類名】特許請求の範囲
【補正対象項目名】全文
【補正方法】変更
【補正の内容】
【特許請求の範囲】
【請求項１】
器具取付面に配置された配線器具に接続される接続部と、
光源部に給電する電源部と、
前記光源部を保持する器具本体と、
前記電源部を覆う電源カバーと、を備える照明器具であって、
前記光源部は、前記電源部と平面視において互いに重ならないように前記電源部の外周側に配置され、
前記電源カバーに、前記電源部と前記接続部が取り付けられ、
前記電源カバーは、前記器具本体の器具取付面側に取り付けられ、
前記器具本体は、径方向中央部に照射面側に突出する収容部を有し、
前記電源部は、前記収容部と前記電源カバーにより形成される空間に収容される、照明器具。
【請求項２】
請求項１に記載の照明器具であって、
前記電源カバーは、一端が開放された略円筒状に形成されるとともに、取付面側に突出するように前記器具本体に取り付けられる、照明器具。
【請求項３】
請求項１または請求項２に記載の照明器具であって、
前記器具本体は、セードを保持するための保持部を備え、
前記器具本体は、前記光源部の外周側に沿うように間欠的に配置された複数の突条部を有し、
前記保持部は、前記突条部の外周側に配置され、
前記光源部と前記保持部との間には、少なくとも前記突条部を有しない部分を有する、照明器具。
【請求項４】
請求項１から請求項３のいずれか一項に記載の照明器具であって、
前記光源部は、光源と略円弧形状のモジュール基板とを含み、
前記モジュール基板は、円周方向の両端部において、互いに略平行な端部と、互いに非平行で径方向に沿った非平行端部と、を有する、照明器具。
【請求項５】
請求項１から請求項４のいずれか一項に記載の照明器具であって、
前記器具本体は、受光部を配置する前記収容部を有し、
前記収容部は、前記受光部と前記モジュール基板を電気的に接続する配線を挿通する貫通孔を有し、
前記貫通孔は、前記受光部と前記モジュール基板との間に設けられる、照明器具。
【請求項６】
請求項１から請求項５のいずれか一項に記載の照明器具であって、
前記器具本体は、凹部を有し、
複数の前記モジュール基板同士を配線部品により接続し、該配線部品が前記凹部に対応する位置に配置される、照明器具。
【手続補正２】
【補正対象書類名】明細書
【補正対象項目名】０００８
【補正方法】変更
【補正の内容】
【０００８】
すなわち、本願に開示する照明器具は、
器具取付面に配置された配線器具に接続される接続部と、
光源部に給電する電源部と、
前記光源部を保持する器具本体と、
前記電源部を覆う電源カバーと、を備える照明器具であって、
前記光源部は、前記電源部と平面視において互いに重ならないように前記電源部の外周側に配置され、
前記電源カバーに、前記電源部と前記接続部が取り付けられ、
前記電源カバーは、前記器具本体の器具取付面側に取り付けられ、
前記器具本体は、径方向中央部に照射面側に突出する収容部を有し、
前記電源部は、前記収容部と前記電源カバーにより形成される空間に収容されるものである。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
本願に開示する照明器具において、
前記電源カバーは、一端が開放された略円筒状に形成されるとともに、取付面側に突出するように前記器具本体に取り付けられることが好ましい。
【手続補正５】
【補正対象書類名】明細書
【補正対象項目名】００１２
【補正方法】変更
【補正の内容】
【００１２】
本願に開示する照明器具において、
前記光源部は、光源と略円弧形状のモジュール基板とを含み、
前記モジュール基板は、円周方向の両端部において、互いに略平行な端部と、互いに非平行で径方向に沿った非平行端部と、を有することが好ましい。
【手続補正６】
【補正対象書類名】明細書
【補正対象項目名】００１３
【補正方法】変更
【補正の内容】
【００１３】
本願に開示する照明器具において、
前記器具本体は、受光部を配置する前記収容部を有し、
前記収容部は、前記受光部と前記モジュール基板を電気的に接続する配線を挿通する貫通孔を有し、
前記貫通孔は、前記受光部と前記モジュール基板との間に設けられることが好ましい。
【手続補正書】
【提出日】平成26年12月19日(2014.12.19)
【手続補正１】
【補正対象書類名】特許請求の範囲
【補正対象項目名】請求項１
【補正方法】変更
【補正の内容】
【請求項１】
器具取付面に配置された配線器具に接続される接続部と、
光源部に給電する電源部と、
前記光源部を保持する器具本体と、
前記電源部を覆う電源カバーと、を備える照明器具であって、
前記光源部は、前記電源部と平面視において互いに重ならないように前記電源部の外周側に配置され、
前記電源カバーに、前記電源部と前記接続部が取り付けられ、
前記電源カバーは、前記器具本体の器具取付面側に取り付けられ、
前記器具本体は、径方向中央部に照射面側に突出する収容部を有し、
前記電源部は、前記収容部と前記電源カバーにより形成される空間に収容され、
前記収容部は、配線を挿通する貫通孔を有し、
前記貫通孔は、前記収容部の周壁部に設けられる、
照明器具。
【手続補正２】
【補正対象書類名】特許請求の範囲
【補正対象項目名】請求項２
【補正方法】変更
【補正の内容】
【請求項２】
器具取付面に配置された配線器具に接続される接続部と、
光源部に給電する電源部と、
前記光源部を保持する器具本体と、
前記電源部を覆う電源カバーと、を備える照明器具であって、
前記光源部は、前記電源部と平面視において互いに重ならないように前記電源部の外周側に配置され、
前記電源カバーに、前記電源部と前記接続部が取り付けられ、
前記電源カバーは、前記器具本体の器具取付面側に取り付けられ、
前記器具本体は、径方向中央部に照射面側に突出する収容部を有し、
前記電源部は、前記収容部と前記電源カバーにより形成される空間に収容される、
前記光源部は、光源と略円弧形状のモジュール基板とを含み、
前記モジュール基板は、円周方向の両端部において、互いに略平行な端部と、互いに非平行で径方向に沿った非平行端部と、を有する、
照明器具。
【手続補正３】
【補正対象書類名】特許請求の範囲
【補正対象項目名】請求項３
【補正方法】変更
【補正の内容】
【請求項３】
請求項１または請求項２に記載の照明器具であって、
前記電源カバーは、一端が開放された略円筒状に形成されるとともに、取付面側に突出するように前記器具本体に取り付けられる、
照明器具。
【手続補正４】
【補正対象書類名】特許請求の範囲
【補正対象項目名】請求項４
【補正方法】変更
【補正の内容】
【請求項４】
請求項１から請求項３のいずれか一項に記載の照明器具であって、
前記器具本体は、セードを保持するための保持部を備え、
前記器具本体は、前記光源部の外周側に沿うように間欠的に配置された複数の突条部を有し、
前記保持部は、前記突条部の外周側に配置され、
前記光源部と前記保持部との間には、少なくとも前記突条部を有しない部分を有する、
照明器具。
【手続補正５】
【補正対象書類名】明細書
【補正対象項目名】０００８
【補正方法】変更
【補正の内容】
【０００８】
すなわち、本願に開示する照明器具は、
器具取付面に配置された配線器具に接続される接続部と、
光源部に給電する電源部と、
前記光源部を保持する器具本体と、
前記電源部を覆う電源カバーと、を備える照明器具であって、
前記光源部は、前記電源部と平面視において互いに重ならないように前記電源部の外周側に配置され、
前記電源カバーに、前記電源部と前記接続部が取り付けられ、
前記電源カバーは、前記器具本体の器具取付面側に取り付けられ、
前記器具本体は、径方向中央部に照射面側に突出する収容部を有し、
前記電源部は、前記収容部と前記電源カバーにより形成される空間に収容され、
前記収容部は、配線を挿通する貫通孔を有し、
前記貫通孔は、前記収容部の周壁部に設けられるものである。
【手続補正６】
【補正対象書類名】明細書
【補正対象項目名】００１０
【補正方法】変更
【補正の内容】
【００１０】
本願に開示する照明器具において、
器具取付面に配置された配線器具に接続される接続部と、
光源部に給電する電源部と、
前記光源部を保持する器具本体と、
前記電源部を覆う電源カバーと、を備える照明器具であって、
前記光源部は、前記電源部と平面視において互いに重ならないように前記電源部の外周側に配置され、
前記電源カバーに、前記電源部と前記接続部が取り付けられ、
前記電源カバーは、前記器具本体の器具取付面側に取り付けられ、
前記器具本体は、径方向中央部に照射面側に突出する収容部を有し、
前記電源部は、前記収容部と前記電源カバーにより形成される空間に収容される、
前記光源部は、光源と略円弧形状のモジュール基板とを含み、
前記モジュール基板は、円周方向の両端部において、互いに略平行な端部と、互いに非平行で径方向に沿った非平行端部と、を有することが好ましい。
【手続補正７】
【補正対象書類名】明細書
【補正対象項目名】００１１
【補正方法】変更
【補正の内容】
【００１１】
本願に開示する照明器具において、
前記電源カバーは、一端が開放された略円筒状に形成されるとともに、取付面側に突出するように前記器具本体に取り付けられることが好ましい。
【手続補正８】
【補正対象書類名】明細書
【補正対象項目名】００１２
【補正方法】変更
【補正の内容】
【００１２】
本願に開示する照明器具において、
前記器具本体は、セードを保持するための保持部を備え、
前記器具本体は、前記光源部の外周側に沿うように間欠的に配置された複数の突条部を有し、
前記保持部は、前記突条部の外周側に配置され、
前記光源部と前記保持部との間には、少なくとも前記突条部を有しない部分を有することが好ましい。